(57)【要約】【課題】電動の冷却用ファンを用いることなく、遊技機用モジュールのケース内を強制換気することができる遊技機を提供すること。【解決手段】遊技機１は、発熱部品３６を有するモジュール本体及びモジュール本体を収容したケース３５を有する遊技機用モジュール３０と、内部を遊技球が落下する遊技球供給通路２２と、ケース３５に形成した換気口４７を介してケース３５に対しエアーの送気および排気の少なくとも一方を行って、ケース３５内を換気する換気手段５０と、遊技球供給通路２２を落下する遊技球Ｂの位置エネルギーを、換気手段５０の駆動エネルギーに変換して換気手段５０を駆動する駆動手段６０と、を備えたものである。【選択図】図２
2008229005.tif 000002
【特許請求の範囲】
【請求項１】
発熱部品を有するモジュール本体及び前記モジュール本体を収容したケースを有する遊技機用モジュールと、
内部を遊技球が落下する遊技球供給通路と、
前記ケースに形成した換気口を介して前記ケースに対しエアーの送気および排気の少なくとも一方を行って、前記ケース内を換気する換気手段と、
前記遊技球供給通路を落下する遊技球の位置エネルギーを、前記換気手段の駆動エネルギーに変換して前記換気手段を駆動する駆動手段と、を備えたことを特徴とする遊技機。
【請求項２】
前記換気手段は、前記換気口を介して前記ケース内に連通するシリンダチューブと、前記シリンダチューブに往復動自在に収容され、往復動により前記ケース内を換気するピストンと、前記シリンダチューブ内外間に介設した逆止弁機構と、を有するシリンダで構成され、
前記駆動手段は、一端部を前記ピストンに連結され、他端部に落下する遊技球を一時貯留するシーソー様の揺動機構と、前記揺動機構に係止した戻しばねと、で構成され、
前記揺動機構は、貯留した前記遊技球の自重により傾動すると共に傾動により前記遊技球を前記遊技球供給通路に排出し、前記戻しばねは、前記遊技球を排出した後の前記揺動機構の傾動を元に戻し、これら傾動動作と傾動戻し動作とを繰り返すことにより前記ピストンを往復動させることを特徴とする請求項１に記載の遊技機。
【請求項３】
前記換気手段は、前記換気口を介して前記ケース内に連通するシリンダチューブと、前記シリンダチューブに往復動自在に収容され、往復動により前記ケース内を換気するピストンと、前記シリンダチューブ内外間に介設した逆止弁機構と、を有するシリンダで構成され、
前記駆動手段は、一端部を前記ピストンに連結され且つ一端部に落下する遊技球を一時貯留して、他端部を中心に傾動する傾動機構と、前記傾動機構に係止した戻しばねと、で構成され、
前記傾動機構は、貯留した前記遊技球の自重により傾動すると共に傾動により前記遊技球を前記遊技球供給通路に排出し、前記戻しばねは、前記遊技球を排出した後の前記傾動機構の傾動を元に戻し、これら傾動動作と傾動戻し動作とを繰り返すことにより前記ピストンを往復動させることを特徴とする請求項１に記載の遊技機。
【請求項４】
前記換気手段は、断面三角形の間隙を存して回動自在に連結した固定板および可動板と、前記間隙を覆うように前記固定板および前記可動板間に渡した蛇腹と、前記固定板、前記可動板および前記蛇腹により構成したエアー室内外間に介設した逆止弁機構とから成り、前記換気口を介して前記ケース内に連通する風琴様の送風機構で構成され、
前記駆動手段は、一端部を前記可動板に連結され、他端部に落下する遊技球を一時貯留するシーソー様の揺動機構と、前記揺動機構に係止した戻しばねと、で構成され、
前記揺動機構は、貯留した前記遊技球の自重により傾動すると共に傾動により前記遊技球を前記遊技球供給通路に排出し、前記戻しばねは、前記遊技球を排出した後の前記揺動機構の傾動を元に戻し、これら傾動動作と傾動戻し動作とを繰り返すことにより前記可動板を回動させることを特徴とする請求項１に記載の遊技機。
【請求項５】
前記換気手段は、断面三角形の間隙を存して回動自在に連結した固定板および可動板と、前記間隙を覆うように前記固定板および前記可動板間に渡した蛇腹と、前記固定板、前記可動板および前記蛇腹により構成されたエアー室内外間に介設した逆止弁機構とから成り、前記換気口を介して前記ケース内に連通する風琴様の送風機構で構成され、
前記駆動手段は、一端部を前記可動板に連結され且つ一端部に落下する遊技球を一時貯留して、他端部を中心に傾動する傾動機構と、前記傾動機構に係止した戻しばねと、で構成され、
前記傾動機構は、貯留した前記遊技球の自重により傾動すると共に傾動により前記遊技球を前記遊技球供給通路に排出し、前記戻しばねは、前記遊技球を排出した後の前記傾動機構の傾動を元に戻し、これら傾動動作と傾動戻し動作とを繰り返すことにより前記可動板を回動させることを特徴とする請求項１に記載の遊技機。
【請求項６】
前記換気手段は、前記換気口に連通し、回転体の外周面に複数の羽根板を有するファン機構で構成され、
前記駆動手段は、落下する前記遊技球により回転するように、前記ファン機構の一方の略半部を前記遊技球供給通路に臨ませて、構成され、
前記ファン機構は、前記換気口を介して前記ケースに対しエアーの送気および排気の一方を行うことを特徴とする請求項１に記載の遊技機。
【請求項７】
発熱部品を有するモジュール本体をケースに収容した遊技機用モジュールを、盤面の裏側に取り付けた遊技機であって、
前記盤面の表側に設けた風車に前記盤面を隔てて連結された回転体と、前記回転体の外周面に設けた複数の羽根板と、前記回転体および前記羽根板を収容すると共に前記ケースに形成した換気口に連通するファンケーシングと、を有するファン機構を備え、
前記ファン機構は、前記風車の回転に連動して回転し、前記換気口を介して前記ケースに対しエアーの送気および排気の一方を行って、前記ケース内を換気することを特徴とする遊技機。
【発明の詳細な説明】
【技術分野】
【０００１】
本発明は、発熱部品を有するモジュール本体をケースに収容した遊技機用モジュールを備えた遊技機に関する。
【背景技術】
【０００２】
近年、多くのパチンコ機等の遊技機には、液晶ディスプレイを備えた表示装置（遊技機用表示機）が組み込まれており、この表示装置の背面には、液晶ディスプレイの表示制御回路やバックライト用の駆動回路等の電子回路がユニット（モジュール）化され、ケースに収容されている。これら電子回路は、グラフィック処理などの高速処理により発熱を伴うため、従来では、電子回路等の発熱部品を冷却するために、ケース内に電動の冷却用ファンおよびこれを駆動する駆動回路を備えたものが知られている（特許文献１参照）。この表示装置では、駆動回路が電動の冷却用ファンを駆動して、ケース内を換気することで発熱部品を冷却している。
【特許文献１】特開２００５−２４５５０４号公報
【発明の開示】
【発明が解決しようとする課題】
【０００３】
しかしながら、従来の表示装置では、ケース内部の冷却のために電動の冷却用ファンを取り付けるようにしているため、モータ、これを駆動する駆動回路および配線等の部品が必要となり、電力消費が多くなると共に、維持管理が煩雑になる問題がある。
【０００４】
本発明は、電動の冷却用ファンを用いることなく、遊技機用モジュールのケース内を強制換気することができる遊技機を提供することを課題とする。
【課題を解決するための手段】
【０００５】
本発明の遊技機は、発熱部品を有するモジュール本体及びモジュール本体を収容したケースを有する遊技機用モジュールと、内部を遊技球が落下する遊技球供給通路と、ケースに形成した換気口を介してケースに対しエアーの送気および排気の少なくとも一方を行って、ケース内を換気する換気手段と、遊技球供給通路を落下する遊技球の位置エネルギーを、換気手段の駆動エネルギーに変換して換気手段を駆動する駆動手段と、を備えたことを特徴とする。
【０００６】
この構成によれば、打球や賞球として払い出すために遊技球供給通路を落下する遊技球の位置エネルギーを、駆動手段により換気のための駆動エネルギーに変換して換気手段を駆動するようにしている。すなわち、換気手段の動力源（エネルギー源）として、遊技球供給通路を落下する遊技球を活用しているため、電動の冷却用ファン等を用いることなく、ケース内を強制換気することができ、発熱部品を良好に冷却することができる。
【０００７】
この場合、換気手段は、換気口を介してケース内に連通するシリンダチューブと、シリンダチューブに往復動自在に収容され、往復動によりケース内を換気するピストンと、シリンダチューブ内外間に介設した逆止弁機構と、を有するシリンダで構成され、駆動手段は、一端部をピストンに連結され、他端部に落下する遊技球を一時貯留するシーソー様の揺動機構と、揺動機構に係止した戻しばねと、で構成され、揺動機構は、貯留した遊技球の自重により傾動すると共に傾動により遊技球を遊技球供給通路に排出し、戻しばねは、遊技球を排出した後の揺動機構の傾動を元に戻し、これら傾動動作と傾動戻し動作とを繰り返すことによりピストンを往復動させることが好ましい。
【０００８】
同様に、換気手段は、換気口を介してケース内に連通するシリンダチューブと、シリンダチューブに往復動自在に収容され、往復動によりケース内を換気するピストンと、シリンダチューブ内外間に介設した逆止弁機構と、を有するシリンダで構成され、駆動手段は、一端部をピストンに連結され且つ一端部に落下する遊技球を一時貯留して、他端部を中心に傾動する傾動機構と、傾動機構に係止した戻しばねと、で構成され、傾動機構は、貯留した遊技球の自重により傾動すると共に傾動により遊技球を遊技球供給通路に排出し、戻しばねは、遊技球を排出した後の傾動機構の傾動を元に戻し、これら傾動動作と傾動戻し動作とを繰り返すことによりピストンを往復動させることが好ましい。
【０００９】
これらの構成によれば、遊技球の自重による揺動機構又は傾動機構の傾動と、戻しばねによる傾動復帰とにより、揺動機構がシーソー運動又は傾動機構が回動運動し、このシーソー運動又は回動運動によりピストンが往復動する。さらに、ピストンの往復動に伴って逆止弁機構が作動するため、換気口を介してシリンダチューブからケース内にエアーが送気され、又はケース内からエアーが吸気される。これにより、ケース内を強制換気することができ、発熱部品を良好に冷却することができる。一方、揺動機構の他端部又は傾動機構の一端部に一時貯留された遊技球は、揺動機構又は傾動機構の傾動により、遊技球供給通路に戻されるため、遊技球の払出しに支障を生ずることがない。なお、遊技球は、遊技球供給通路に介設した払出し装置の上流側から揺動機構又は傾動機構に導入してもよいし、下流側から揺動機構又は傾動機構に導入してもよい。
【００１０】
この場合、換気手段は、断面三角形の間隙を存して回動自在に連結した固定板および可動板と、間隙を覆うように固定板および可動板間に渡した蛇腹と、固定板、可動板および蛇腹により構成したエアー室内外間に介設した逆止弁機構とから成り、換気口を介してケース内に連通する風琴様の送風機構で構成され、駆動手段は、一端部を可動板に連結され、他端部に落下する遊技球を一時貯留するシーソー様の揺動機構と、揺動機構に係止した戻しばねと、で構成され、揺動機構は、貯留した遊技球の自重により傾動すると共に傾動により遊技球を遊技球供給通路に排出し、戻しばねは、遊技球を排出した後の揺動機構の傾動を元に戻し、これら傾動動作と傾動戻し動作とを繰り返すことにより可動板を回動させることが好ましい。
【００１１】
同様に、換気手段は、断面三角形の間隙を存して回動自在に連結した固定板および可動板と、間隙を覆うように固定板および可動板間に渡した蛇腹と、固定板、可動板および蛇腹により構成されたエアー室内外間に介設した逆止弁機構とから成り、換気口を介してケース内に連通する風琴様の送風機構で構成され、駆動手段は、一端部を可動板に連結され且つ一端部に落下する遊技球を一時貯留して、他端部を中心に傾動する傾動機構と、傾動機構に係止した戻しばねと、で構成され、傾動機構は、貯留した遊技球の自重により傾動すると共に傾動により遊技球を遊技球供給通路に排出し、戻しばねは、遊技球を排出した後の傾動機構の傾動を元に戻し、これら傾動動作と傾動戻し動作とを繰り返すことにより可動板を回動させることが好ましい。
【００１２】
これらの構成によれば、遊技球の自重による揺動機構又は傾動機構の傾動と、戻しばねによる傾動復帰とにより、揺動機構がシーソー運動又は傾動機構が回動運動し、このシーソー運動又は回動運動により可動板が回動する。さらに、可動板の回動に伴って逆止弁機構が作動するため、換気口を介してシリンダチューブからケース内にエアーが送気され、又はケース内からエアーが吸気される。これにより、ケース内を強制換気することができ、発熱部品を良好に冷却することができる。一方、揺動機構の他端部又は傾動機構の一端部に一時貯留された遊技球は、揺動機構又は傾動機構の傾動により、遊技球供給通路に戻されるため、遊技球の払出しに支障を生ずることがない。なお、遊技球は、遊技球供給通路に介設した払出し装置の上流側から揺動機構又は傾動機構に導入してもよいし、下流側から揺動機構又は傾動機構に導入してもよい。
【００１３】
この場合、換気手段は、換気口に連通し、回転体の外周面に複数の羽根板を有するファン機構で構成され、駆動手段は、落下する遊技球により回転するように、ファン機構の一方の略半部を遊技球供給通路に臨ませて、構成され、ファン機構は、換気口を介してケースに対しエアーの送気および排気の一方を行うことが好ましい。
【００１４】
この構成によれば、ファン機構の一方の略半部が遊技球供給通路に臨んでいるため、遊技球供給通路を遊技球が落下すると、遊技球によりファン機構が一方向に回転する。ファン機構が回転すると複数の羽根板により、換気口を介してケースに対しエアーを送気又は排気することができ、ケース内を強制換気することができる。すなわち、遊技球の落下エネルギーが、ファン機構の駆動源となるため、駆動回路等の駆動源を新たに設ける必要がない。
【００１５】
本発明の遊技機は、発熱部品を有するモジュール本体をケースに収容した遊技機用モジュールを、盤面の裏側に取り付けた遊技機であって、盤面の表側に設けた風車に盤面を隔てて連結された回転体と、回転体の外周面に設けた複数の羽根板と、回転体および羽根板を収容すると共にケースに形成した換気口に連通するファンケーシングと、を有するファン機構を備え、ファン機構は、風車の回転に連動して回転し、換気口を介してケースに対しエアーの送気および排気の一方を行って、ケース内を換気することを特徴とする。
【００１６】
この構成によれば、打球された遊技球が遊技機の盤面を落下して風車を回転させると、この風車の回転に伴って回転体が回転し、換気口を介してケース内を強制換気する。すなわち、遊技球の落下エネルギーが、ファン機構の駆動源となるため、駆動回路等の駆動源を新たに設ける必要がない。
【発明を実施するための最良の形態】
【００１７】
以下、添付の図面を参照して、本発明の実施形態に係る遊技機について説明する。本実施形態に係る遊技機は、グラフィック表示等により発熱する発熱部品を有するモジュール本体をケースに収容した遊技機用表示機（遊技機用モジュール）を備えたものであり、自身の遊技球供給通路を落下する遊技球を利用してケース内を強制換気するものである。なお、本実施形態では、遊技機としてパチンコ機を例に挙げて説明する。また、本実施形態において、「前」、「後」、「左」、「右」、「上」、「下」は、パチンコ機で遊技を行う遊技者から見た方向に従う。
【００１８】
図１は、本実施形態に係るパチンコ機１の表側から見た外観斜視図である。同図に示すように、パチンコ機１は、枠状の筐体２と、筐体２に組み込まれた遊技機本体３と、を備えている。
【００１９】
筐体２の前面左部には、ヒンジ４が設けられ、このヒンジ４を介して遊技機本体３が前方に開き戸形式で引き出されるようになっている。そして、遊技機本体３の裏面には、遊技機用表示機３０が着脱自在に取り付けられている（図２参照）。また、筐体２の上部裏面側には切欠き部５が形成され、この切欠き部５には、後述するように下側から遊技球Ｂの受け皿２１が臨んでいる。
【００２０】
遊技機本体３は、前面に広く設けた遊技盤６と、遊技盤６の前面を覆う透光板を有する前扉７と、前面右下部に設けられ、遊技球Ｂの発射操作を行うためのハンドル８と、遊技盤６の下側に配設した遊技球Ｂを貯めるための上皿９と、上皿９の下方に配設した下皿１０と、を備えている。
【００２１】
遊技盤６は、ハンドル８から打ち出された遊技球Ｂを導くガイドレール１１によって囲まれた遊技領域Ａを有し、この遊技領域Ａ内には、遊技球Ｂの軌道を変更させる複数の遊技釘１２と、外周面に複数の羽根板１３ａが形成されると共に遊技球Ｂが接触すると回動する複数の風車１３と、遊技球Ｂが入賞すると下皿１０に所定数の遊技球Ｂ（賞球）を払い出させる複数の入賞口１４と、遊技球Ｂが入ると使用済み遊技球Ｂとして処理されるアウト口１５が設けられている。また、遊技盤６の中央部には開口が形成され、この開口には裏側から遊技機用表示機３０の液晶ディスプレイ３１が臨んでいる（詳細は後述する）。また、前扉７は、遊技盤６に対し開閉自在に設けられており、前扉７を開放することにより、遊技盤６の盤面のメンテナンス等を行うことが可能になっている。
【００２２】
図２に示すように、遊技機本体３の裏面側には、遊技盤６の裏面の位置に、外部の遊技球供給装置（図示省略）から供給される遊技球Ｂを自機に導入する導入ユニット２０と、導入ユニット２０の下方に配置した遊技機用表示機３０と、が配設されている。
【００２３】
導入ユニット２０は、上記の切欠き部５の下部に配設される受け皿２１と、受け皿２１から供給された遊技球Ｂを上皿９および下皿１０に選択的に供給する払出し装置２３と、受け皿２１と払出し装置２３とを接続する遊技球供給通路２２と、払出し装置２３と上皿９および下皿１０とを接続する遊技球分岐通路２４と、で構成されている。遊技球供給通路２２は、払出し装置２３に向かって遊技球Ｂが転動するように下り傾斜に形成されている。
【００２４】
受け皿２１は、その底部が、左部に設けた供給口２１ａに向かって所定の下り勾配を有しており、供給口２１ａには遊技球供給通路２２が接続されている。受け皿２１に供給された遊技球Ｂは、遊技球供給通路２２内を転動して後述する駆動手段６０を介して払出し装置２３に流れ、払出し装置２３から上皿９および下皿１０に選択的に供給される。したがって、パチンコ機１が使用されている状態では、遊技球供給通路２２内を遊技球Ｂが流れる（転動する）こととなる。
【００２５】
図２および図３に示すように、遊技盤６に裏側から臨む遊技機用表示機３０は、表側の液晶ディスプレイ３１と、液晶ディスプレイ３１の裏面に添設したバックライト３２と、液晶ディスプレイ３１の表示を制御する表示制御回路やバックライトの駆動を制御する駆動制御回路等の複数の電子回路３３を組み込んだ回路基板３４と、これらを収容するケース３５と、から成り、これらが一体にモジュール（ユニット）化されている。
【００２６】
電子回路３３は、入賞口１４に落入した際の抽選を行う制御回路、液晶ディスプレイ３１に抽選結果などの遊技に関連する画像を表示制御し、グラフィック処理等の高速演算処理を行う表示制御回路およびバックライトを駆動制御する駆動制御回路等で構成され、これらが回路基板３４に実装されている。そして、回路基板３４には、グラフィック処理等に供されるパワートランジスタ等の複数の発熱部品３６が組み込まれている（図３参照）。
【００２７】
ケース３５は、天板４１、底板４２、両側板４３および裏板４４により方形箱状に形成されており、前面開放部分には液晶ディスプレイ３１が嵌め込まれている。ケース３５の天板４１には、ガラリ状の４つ（複数）の排気口（換気口）４６が形成されており、底板４２には、送気口（換気口）４７が形成されている。
【００２８】
図２に示すように、ケース３５の下方には、送気口４７からエアーを送気してケース３５内の換気を行うシリンダ（換気手段）５０と、シリンダ５０を駆動する駆動手段６０とが配設されており、遊技球供給通路２２を落下する遊技球Ｂの位置エネルギーを利用して駆動手段６０を駆動し、この駆動力によりシリンダ５０を作動させて、ケース３５内にエアーを送り込むようになっている。
【００２９】
駆動手段６０は、一端を遊技球Ｂの落下経路に臨ませた揺動機構６１と、揺動機構６１の他端に係止された戻しばね６２と、で構成されている。本実施形態では、駆動手段６０を払出し装置２３の上流側に配設した構成にしているが、払出し装置２３の下流側に配設した構成にしてもよい。
【００３０】
揺動機構６１は、遊技機１の幅方向に延在した板状のベース部６３を有しており、ベース部６３は、延在方向の略中間位置で遊技機本体３の裏側に突設した支軸６４により傾動自在に支持されている。すなわち、ベース部６３は、シーソー運動を行うようになっている。ベース部６３の一端部（実施形態では右端部）には、遊技球供給通路２２から遊技球Ｂを受け取って貯留する貯留部６５が配設され、他端部（実施形態では左端部）には、上記シリンダ５０と連結するための連結部材６６が配設されている。連結部材６６の上部は、後述するピストン５３の基端部に回動自在に連結されている。
【００３１】
貯留部６５は、その上部および遊技球供給通路２２側の側部を開放した箱状に形成されており、遊技球供給通路２２から落下する遊技球Ｂを一時的に貯留すると共に、貯留された遊技球Ｂの自重によりベース部６３が傾動すると、遊技球Ｂを遊技球供給通路２２の受け部２５に排出する。この受け部２５は、ロート状に形成され、遊技球供給通路２２の下流に接続されている。したがって、揺動機構６１の貯留部６５から排出された遊技球Ｂは、受け部２５を介して遊技球供給通路２２に戻されて、払出し装置２３に供給される。
【００３２】
戻しばね６２は、一端をベース部６３の連結部材６６側端部に係止され、他端を遊技機本体３の裏側に突設した突設部（図示省略）に係止されており、遊技球Ｂを排出した後の揺動機構６１の傾動を元の位置に戻すと共に、後述するピストン５３を復動させるよう機能する。
【００３３】
シリンダ５０は、注入口５１をケース３５の送気口４７に接続したシリンダチューブ５２と、シリンダチューブ５２に往復動自在に収容されたピストン５３と、シリンダチューブ５２内外間を連通する連通口５５に介設した逆止弁機構５４と、で構成されている。そして、ピストン５３の下端部には、連結部材６６が連結されている。
【００３４】
逆止弁機構５４は、シリンダチューブ５２の上端部に形成した連通口５５に介設され、フィルム片等で形成した弁体５６と、連通口５５の内部開口壁で形成した弁座５７とで構成されている。ピストン５３がシリンダチューブ５２内を往動すると、弁体５６が弁座５７に押し付けられて連通口５５を閉塞し、シリンダチューブ５２内のエアーは、注入口５１からケース３５内に流入する。一方、ピストン５３がシリンダチューブ５２内を復動すると、弁体５６が弁座５７から離れケース３５内のエアーはシリンダチューブ５２に流入せず、連通口５５からシリンダチューブ５２内にエアーが流入する。すなわち、ピストン５３が往復動することにより、外部のエアーがシリンダチューブ５２を介してケース３５に送気される。なお、逆止弁機構５４は、ピストン５３に設けてもよい。また、弁体５６を逆側の内部開口壁に設け、ピストン５３の復動を利用してケース３５内のエアーをシリンダチューブ５２内に吸い込んで、ケース３５の換気を行うようにしてもよい。
【００３５】
揺動機構６１は、図２に示す状態から、遊技球供給通路２２内を落下する遊技球Ｂが貯留部６５に落下貯留すると、貯留した遊技球Ｂの自重により、揺動機構６１の右端部が下方向に、左端部が上方向に向かって傾動してゆく（シーソー運動）。この揺動機構６１の傾動に伴い、ピストン５３がシリンダチューブ５２内を上方に往動し、シリンダチューブ５２内のエアーが送気口４７を介してケース３５内に送気される（図４参照）。シリンダ５０からケース３５内にエアーが送気されると、送気されたエアーに押し出されるように、発熱部品３６により昇温されたエアーが排気口４６からケース３５外部に排気される。一方、揺動機構６１が傾動し、貯留された遊技球Ｂが受け部２５に排出されると、戻しばね６２により、揺動機構６１の右端部が上方向に、左端部が下方向に移動して揺動機構６１の傾動位置が元の位置に戻され、この傾動戻しに伴ってピストン５３がシリンダチューブ５２内を下方に復動する。そして、遊技球供給通路２２内を遊技球Ｂが落下し続ける間、揺動機構６１の傾動動作と傾動戻し動作とが繰り返され、ピストン５３の往復動によるケース３５内の換気動作が繰り返される。これにより、ケース３５内に新鮮なエアーが送り込まれ、ケース３５内が換気され、発熱部品３６が良好に冷却される。
【００３６】
以上のように、本実施形態によれば、駆動手段６０が、遊技球供給通路２２を落下する遊技球Ｂの位置エネルギーを換気のための駆動エネルギーに変換して、シリンダ５０を駆動するようにしている。すなわち、遊技球Ｂの自重による揺動機構６１の傾動と、戻しばね６２による傾動復帰と（シーソー運動）を繰り返すことにより、このシーソー運動に伴いピストン５３が往復動を繰り返す。したがって、シリンダ５０の動力源（エネルギー源）として、遊技球供給通路２２を落下する遊技球Ｂを活用しているため、電動の冷却用ファン等を用いることなく、ケース３５内を強制換気することができ、発熱部品３６を良好に冷却することができる。
【００３７】
次に、図５および図６を参照して、本発明の第２実施形態に係る遊技機１について説明する。本実施形態に係る遊技機１では、駆動手段６０の構成が、上記第１実施形態に係る遊技機１と異なっている。なお、本実施形態の遊技機１において、上記第１実施形態に係る遊技機１の構成と同じ構成については同じ符号を付して、その詳細な説明を省略する。
【００３８】
本実施形態の駆動手段６０は、一端を遊技球Ｂの落下経路に臨ませた傾動機構７０と、傾動機構７０の他端に係止された戻しばね７３と、で構成されている。
【００３９】
傾動機構７０は、遊技機１の幅方向に延在するベース部６３を有している。ベース部６３の一端部（実施形態では右端部）には、遊技球Ｂを貯留する貯留部６５が配設され、貯留部６５の左部には、ピストン５３と連結するための連結部材６６が配設されている。一方、ベース部６３の他端部（実施形態では左端部）は、遊技機本体３の裏側に突設した支軸７２により傾動自在に支持されており、この支軸７２を中心にベース部６３は回動運動を行うようになっている。
【００４０】
戻しばね７３は、一端をケース３５の底板４２の略中間位置に、他端をベース部６３の延在方向の略中間位置に係止されており、遊技球Ｂを排出した後の傾動機構７０の傾動を元の位置に戻すと共に、ピストン５３を復動させるよう機能する。
【００４１】
傾動機構７０は、遊技球供給通路２２内を落下する遊技球Ｂが貯留部６５に落下貯留すると、貯留した遊技球Ｂの自重により、支軸７２を中心に右端部が下方向に、左端部が上方向に向かって傾動し、ピストン５３がシリンダチューブ５２内を下方に往動する（図５参照）。貯留された遊技球Ｂが受け部２５に排出されると、戻しばね７３により、傾動機構７０の右端部が上方向に、左端部が下方向に向かって戻され（傾動戻し）、この傾動戻しに伴ってピストン５３がシリンダチューブ５２内を上方に復動し、シリンダチューブ５２内のエアーが送気口４７を介してケース３５内に送気される（図６参照）。シリンダ５０からケース３５内にエアーが送気されると、送気されたエアーに押し出されるように、発熱部品３６により昇温されたエアーが排気口４６からケース３５外部に排気される。そして、遊技球供給通路２２内を遊技球Ｂが落下し続ける間、傾動機構７０の傾動動作と傾動戻し動作と（回動運動）が繰り返され、ピストン５３の往復動によるケース３５内の換気動作が繰り返される。これにより、ケース３５内に新鮮なエアーが送り込まれ、ケース３５内が換気され、発熱部品３６が良好に冷却される。
【００４２】
以上のように、本実施形態によれば、遊技球Ｂの自重による傾動機構７０の傾動と、戻しばね７３による傾動復帰と（回動運動）を繰り返すにより、この回動運動に伴いピストン５３が往復動を繰り返す。したがって、シリンダ５０の動力源として、遊技球供給通路２２を落下する遊技球Ｂを活用しているため、電動の冷却用ファン等を用いることなく、ケース３５内を強制換気することができ、発熱部品３６を良好に冷却することができる。
【００４３】
次に、図７および図８を参照して、本発明の第３実施形態に係る遊技機１について説明する。本実施形態に係る遊技機１では、換気手段が風琴様の送風機構８０により構成されている点が、上記第１実施形態に係る遊技機１と異なっている。なお、本実施形態に係る遊技機１において、上記第１実施形態の遊技機１と同じ構成については同じ符号を付して、その詳細な説明を省略する。
【００４４】
送風機構８０は、固定板８１と、固定板８１の下方に配設された可動板８２と、固定板８１および可動板８２の間に介設された蛇腹８３と、固定板８１、可動板８２および蛇腹８３により構成したエアー室８４内外間に介設した逆止弁機構５４と、で構成されている。
【００４５】
固定板８１および可動板８２は、断面三角形の間隙８６を存し、蛇腹８３にこの間隙を覆われるようにして回動自在に連結されている。固定板８１および可動板８２は、それぞれ平面視二等辺三角形を為し、ケース３５の幅方向に延在して形成され、二等辺三角形の頂部となる一端部（実施形態では右端部）には、ケース３５の送気口４７に連通した中継チューブ８７が接続されている。可動板８２の他端部は、揺動機構６１（の他端部）と連結するための連結部材６６と回動自在に連結しており、揺動機構６１の傾動に伴い回動する。なお、固定板８１を、プラスチック等の樹脂性材料で構成し、ケース３５の底板４２と一体形成してもよい。
【００４６】
逆止弁機構５４は、可動板８２の延在方向の略中間部に形成した連通口に介設され、第１実施形態と同様に、フィルム片等で形成した弁体５６と、連通口５５の内部開口壁に形成した弁座５７とで構成されている。可動板８２が固定板８１側に回動すると、弁体５６が弁座５７に押し付けられて連通口５５を閉塞し、間隙８６内のエアーは、中継チューブ８７を介してケース３５内に流入する。可動板８２が固定板８１から離間方向に回動すると、弁体５６が弁座５７から離れケース３５内のエアーが流入せず、連通口５５から間隙８６内にエアーが流入する。なお、逆止弁機構５４は、蛇腹８３に設けてもよい。また、弁体５６を逆側の内部開口壁に設け、可動板８２の固定板８１から離間方向への回動を利用して、ケース３５内のエアーを間隙８６内に吸い込んで、ケース３５内の換気を行うようにしてもよい。
【００４７】
送風機構８０は、遊技球供給通路２２内を落下する遊技球Ｂが貯留部６５に落下貯留されると、貯留した遊技球Ｂの自重により、図７に示す状態から、揺動機構６１の右端部が下方向に、左端部が上方向に向かって傾動してゆく（回動運動）。この揺動機構６１の傾動に伴い、可動板８２が上方に回動し、間隙８６内のエアーが送気口４７を介してケース３５内に送気される（図８参照）。送風機構８０からケース３５内にエアーが送気されると、送気されたエアーに押し出されるように、発熱部品３６により昇温されたエアーが排気口４６からケース３５外部に排気される。一方、揺動機構６１が傾動し、貯留された遊技球Ｂが受け部２５に排出されると、戻しばね６２により、揺動機構６１の右端部が上方向に、左端部が下方向に移動して揺動機構６１の傾動位置が元の位置に戻され、この傾動戻しに伴って可動板８２が下方に回動する。そして、遊技球供給通路２２内を遊技球Ｂが落下し続ける間、揺動機構６１の傾動動作と傾動戻し動作とが繰り返され、可動板８２の回動によるケース３５内の換気動作が繰り返される。これにより、ケース３５内に新鮮なエアーが送り込まれ、ケース３５内が換気され、発熱部品３６が良好に冷却される。
【００４８】
以上のように、本実施形態によれば、遊技球Ｂの自重による揺動機構６１の傾動と、戻しばね６２による傾動復帰と（シーソー運動）を繰り返すことにより、このシーソー運動に伴い可動板８２が回動運動を繰り返す。したがって、送風機構８０の動力源として、遊技球供給通路２２を落下する遊技球Ｂを活用しているため、電動の冷却用ファン等を用いることなく、ケース３５内を強制換気することができ、発熱部品３６を良好に冷却することができる。なお、この場合の送風機構８０は、第２実施形態のものを左右反転した配置となる。
【００４９】
なお、送風機構８０を駆動する駆動手段６０に、第２実施形態の傾動機構７０を用いてもよい。これにより、遊技球Ｂの自重による傾動機構７０の傾動と、戻しばね７３による傾動復帰とを繰り返すことにより、可動板８２が回動運動を繰り返して、ケース３５内が換気される。
【００５０】
次に、図９を参照して、本発明の第４実施形態に係る遊技機１について説明する。本実施形態に係る遊技機１では、換気手段がファン機構９０により構成されている。なお、本実施形態において、上記実施形態に係る遊技機１と同じ構成については同じ符号を付して、その説明を省略する。
【００５１】
ファン機構９０は、ケース３５の側板４３に形成された側板換気口４８に連通すると共に、外周面に複数の羽根板９２が形成された回転体９１を有している。この回転体９１は、その中心が遊技機本体３の裏側に突設した回転軸９３により回転自在に支持されている。ファン機構９０の一方の略半部（実施形態では右半部）は、落下する遊技球Ｂにより回転するように遊技球供給通路２２に臨み（駆動手段）、他方の略半部（実施形態では左半部）は、側板換気口４８を介してケース３５内に臨んでいる。
【００５２】
落下する遊技球Ｂが、遊技球供給通路２２内で羽根板９２に接触すると、回転体９１が一方向（図９に示す矢印Ｄ方向）に回転して、ファン機構９０が駆動する。すなわち、遊技球供給通路２２内を落下する遊技球Ｂの位置エネルギーを、ファン機構９０の駆動エネルギーに変換する。ファン機構９０が駆動すると、側板換気口４８を介してケース３５内にエアーが送気され、送気されたエアーに押し出されるように、発熱部品３６により昇温されたエアーが排気口４６からケース３５外部に排気される。これにより、ケース３５内に新鮮なエアーが送り込まれ、ケース３５内が換気され、発熱部品３６が良好に冷却される。この場合には、遊技球Ｂの落下が続く限り、ファン機構９０は連続して回転し、換気が行われる。なお、実施形態のものは、遊技球Ｂによりファン機構９０を直接回転させる構造になっているが、同軸上にファン機構９０を２つ設け、一方を遊技球供給通路２２に臨ませ、他方をケース３５に臨ませるようにしてもよい。
【００５３】
図１０は、本実施形態に係るファン機構９０の変形例であり、この変形例では、遊技球供給通路２２の端部にファン機構９０ａの略半部を収容するための収容部９４が形成され、この収容部９４が換気通路９５を介して側板換気口４８に連通している。すなわち、ファン機構９０ａの一方の略半部（実施形態では右半部）は、落下する遊技球Ｂにより回転するように遊技球供給通路２２に臨み、他方の略半部（実施形態では左半部）は収容部９４に臨んでいる。そして、遊技球供給通路２２内を落下する遊技球Ｂが、羽根板９２に接触して回転体９１を一方向に回転させると、ファン機構９０ａが駆動して、換気通路９５および側板換気口４８を介してケース３５内にエアーが送気される。したがって、ケース３５と遊技球供給通路２２との配設位置が離れている場合でも、ケース３５内にエアーを送気して、ケース３５内を換気することができる。
【００５４】
次に、図１１および図１２を参照して、本発明の第５実施形態に係る遊技機１について説明する。なお、本実施形態において、上記実施形態に係る遊技機１と同じ構成については同じ符号を付して、その説明を省略する。
【００５５】
本実施形態に係るファン機構９０ｂは、遊技球供給通路２２とケース３５の側板４３との間に介設され、回転体９１と、回転体９１の外周面に形成された複数の羽根板９２と、これらを収容したファンケーシング９８とで構成されている。ファンケーシング９８は、略方形形状に形成され、その左部が側板換気口４８に連通している。
【００５６】
回転体９１は、遊技盤６の表側に配設された風車１３（本実施形態では図１に示す液晶ディスプレイ３１左部の風車）に盤面を隔てて回動自在に連結されている。すなわち、回転体９１の回転軸９３と風車１３の回転軸１３ｂとは、同軸上で連結されているため、遊技盤６の遊技領域Ａを落下する遊技球Ｂが風車１３を回転させると、これに連動して回転体９１が回転するようになっている。この回転体９１の回転に伴い、ファン機構９０ｂが駆動して、側板換気口４８を介して、ケース３５に対してエアーの送気および排気の一方が行われる。すなわち、遊技球Ｂが風車１３を矢印Ｅ方向（図１１参照）に回転させた場合には、回転体９１が矢印Ｆ方向（図１２参照）に回転して、ケース３５内にエアーが送気される。一方、風車１３を矢印Ｅ方向と反対方向に回転させた場合には、回転体９１が矢印Ｆ方向の反対方向に回転して、ケース３５内のエアーがファンケーシング９８内に吸気され、排気される。なお、ケース３５内のエアーを吸気する場合には、ファンケーシング９８上部に換気口を設けることが好ましい。これにより、ケース３５内が強制換気され、発熱部品３６が良好に冷却される。
【００５７】
なお、本実施形態では、風車１３および回転体９１が、同軸上で連結され、風車１３から回転体９１に回転動力が直接伝達される構成にしたが、風車１３と回転体９１との間にギヤ等を設け、このギヤ等を介して風車１３から回転体９１に回転動力を間接的に伝達する構成にしてもよい。
【図面の簡単な説明】
【００５８】
【図１】本発明の実施形態に係るパチンコ機を前面側から見た外観斜視図である。
【図２】本実施形態に係るパチンコ機の遊技機用表示機廻りを後面側から見た模式図である。
【図３】本実施形態に係る遊技機用表示機を側面から見た断面図である。
【図４】本実施形態に係る遊技機のシリンダおよび駆動手段廻りを示した模式図である。
【図５】本発明の第２実施形態に係る遊技機のシリンダおよび駆動手段廻りを示した模式図である。
【図６】本発明の第２実施形態に係る遊技機のシリンダおよび駆動手段廻りを示した模式図である。
【図７】本発明の第３実施形態に係る遊技機の送風機構および駆動手段廻りを示した模式図である。
【図８】本発明の第３実施形態に係る遊技機の送風機構および駆動手段廻りを示した模式図である。
【図９】本発明の第４実施形態に係る遊技機のファン機構廻りを示した模式図である。
【図１０】本発明の第４実施形態の変形例に係る遊技機のファン機構廻りを示した模式図である。
【図１１】本発明の第５実施形態に係る遊技機の風車廻りを示した模式図である。
【図１２】本発明の第５実施形態に係る遊技機のファン機構廻りを示した模式図である。
【符号の説明】
【００５９】
１…遊技機  １３…風車  ２２…遊技球供給通路  ３０…遊技機用モジュール（遊技機用表示機）  ３５…ケース  ３６…発熱部品  ４６…排気口  ４７…送気口  ５０…シリンダ  ５２…シリンダチューブ  ５３…ピストン  ５４…逆止弁機構  ６０…駆動手段  ６１…揺動機構  ６２、７３…戻しばね  ７０…傾動機構  ８０…送風機構  ８１…固定板  ８２…可動板  ８３…蛇腹  ９０、９０ａ、９０ｂ…ファン機構  ９１…回転体  ９２…羽根板  ９８…ファンケーシング  Ｂ…遊技球
【図１】
2008229005.tif 000003
【図２】
2008229005.tif 000004
【図３】
2008229005.tif 000005
【図４】
2008229005.tif 000006
【図５】
2008229005.tif 000007
【図６】
2008229005.tif 000008
【図７】
2008229005.tif 000009
【図８】
2008229005.tif 000010
【図９】
2008229005.tif 000011
【図１０】
2008229005.tif 000012
【図１１】
2008229005.tif 000013
【図１２】
2008229005.tif 000014